(57)【特許請求の範囲】
【請求項１】
貯水槽に投入されることによって、貯水中に洗浄成分を徐々に溶出させる投入式固形芳香洗浄剤であって、
前記洗浄成分及び色素が配合される着色層と、
前記洗浄成分が配合され、前記着色層に結合される非着色層とを有し、
前記着色層が前記非着色層の比重より大きくなるように比重調整されることにより、前記着色層が下面に、そして前記非着色層が上面になるように前記貯水槽の底部に固着され、
前記洗浄剤が上から溶出することを特徴とする投入式固形芳香洗浄剤。
【請求項２】
前記着色層を脱気することにより前記着色層が比重調整されることを特徴とする請求項１記載の投入式固形洗浄剤。
【発明の詳細な説明】
【０００１】
【発明の属する技術分野】
本発明は、投入式固形芳香洗浄剤に関し、たとえば、水洗トイレ用貯水タンク内に投入して用いる芳香洗浄剤に適用し得るものである。
【０００２】
【従来の技術】
従来、水洗トイレ用貯水タンク内に投入して用いる芳香洗浄剤には、非イオン性界面活性剤や、アニオン性界面活性剤や、カチオン性界面活性剤などが使用され、これらの界面活性剤に洗浄成分や、防汚成分や、色素や、香料などが配合され、これらの各種成分が混合されて一層で形成されていた。
【０００３】
【発明が解決しようとする課題】
ところで、タンク内に投入された製剤はタンク底面に固着し、製剤の上から溶出する特性がある。この溶出に伴い製剤の表面積は次第に減少するが、従来の一層の製剤では、色素が製剤の全体に及ぶため、製剤の表面積の減少に伴い、色素の溶出も経時的に減少し、延いては着色性が悪くなる。製剤に配合される色素は、本来、洗浄剤の有効性の目安とするものであるから、洗浄成分の有効期間と同程度に長期に亘って安定して溶出することが要求される。しかし、色素が安定して溶出されないと、洗浄効力が充分にあるにも関わらず、消費者は洗浄効力がなくなってきたと判断してしまい、製剤の補充等、無駄な消費を促進させてしまう結果となる。
【０００４】
そこで、本発明は、上記事情に鑑みて成されたもので、安定して色素を溶出させることができる投入式固定芳香洗浄剤を提供することを目的とする。
【０００５】
【課題を解決するための手段】
すなわち、本発明の投入式固定芳香洗浄剤は、貯水槽に投入されることによって、貯水中に洗浄成分を徐々に溶出させる投入式固形芳香洗浄剤であって、前記洗浄成分及び色素が配合される着色層と、前記洗浄成分が配合され、前記着色層に結合される非着色層とを有し、前記着色層が前記非着色層の比重より大きくなるように比重調整されされることにより、前記着色層が下面に、そして前記非着色層が上面になるように前記貯水槽の底部に固着され、前記洗浄剤が上から溶出する。
【０００６】
このような構成を採ることで、着色層が非着色層よりも比重が重いため、使用時に貯水槽に投入されることによって、投入式固形芳香洗浄剤は常に着色層が下面になった状態で貯水槽の底部に固着することになる。
着色層を下面にしてタンク底面に固着した場合、製剤が上から溶出して特に製剤上面の表面積が減少しても、製剤下面に位置する着色層の表面積は略一定に保たれる。従って、製剤の表面積が経時的に小さくなるものの、色素の溶出量は安定し、色むらが少なくなる。
【０００７】
なお、前記着色層の比重調整は、例えば、前記着色層を脱気することにより達成される。
【０００８】
製剤に配合される色素は、水溶性の染料、例えば、青色１号、黄色４号、黄色５号、黄色２０２号、赤色１０６号、緑色３号、青色２０２号、青色２０３号、メチレンブルー、シアニンブルー等を有効に利用できる。その配合割合は、色素の種類（色調、濃度）に応じて適宜決定できるが、通常約０．５〜２０ｗｔ％とするのが妥当である。これが上記範囲を下回ると溶出液の呈色が薄くなるか、呈色しない虞れがあり、清涼感、衛生感等が発現されず、また上記範囲を越えると、呈色が濃すぎてむしろ不快感を与える虞れがある。
【０００９】
また、製剤の比重を調整するための比重調整剤は、水溶性の真比重１．５０以上の無機化合物、例えば、硫酸ナトリウム、硫酸カルシウム、チオ硫酸ナトリウム、炭酸ナトリウム、炭酸水素ナトリウム、ケイ酸ナトリウム、スルファミン酸等を利用できる。
【００１０】
【発明の実施の形態】
次に本発明の好適な実施の形態を図面を用いて説明する。
図１は、本実施の形態の投入式固形芳香洗浄剤の縦断面図である。この図１において、本実施の形態の投入式固形洗浄剤１０は、上層に非着色層１１が形成されており、この非着色層１１の下に着色層１２が形成されている。
【００１１】
非着色層１１は、界面活性剤として洗浄成分や防汚成分や香料などが含有されている。具体的には、ＰＯＥ（ポリオキシエチレン）脂肪酸エステル（界面活性剤）、ＰＯＥノニルフェニルエーテル（界面活性剤）、脂肪酸モノグリセライド（界面活性剤）、硫酸カルシウム（比重調整剤）、調合香料などである。
一方、下層の着色層１２は、非着色層１１よりも比重が高くなるように比重調整されており、界面活性剤や洗浄成分や防汚成分や香料の他、色素が含有されている。具体的には、ＰＯＥ脂肪酸エステル、ＰＯＥノニルフェニルエーテル、脂肪酸モノグリセライド、硫酸カルシウム、調合香料、青色１号（色素）などである。
【００１２】
本実施の形態において、着色層１２の比重を大きくする方法として、たとえば、着色層１２を脱気することで着色層１２の比重を重くすることができる。この具体的な製法としては、たとえば、着色層１２と非着色層１１とを別々に製造する。そして、着色層１２だけを脱気させ、着色層１２と非着色層１１とを固着させることによって実現することができる。
【００１３】
このようにして投入式固形芳香洗浄剤を形成することで、溶出する場合でも、この溶出は特に製剤上面に作用するものであるから、製剤下面に位置する着色層１２の表面積は略一定に維持され、同一色相が長く維持され、色むらが少なくなる。これによって、使用経過に伴って色むらを起こし難い、品質の高い投入式固形芳香洗浄剤を実現することができる。
【００１４】
投入式固形芳香洗浄剤の形状は、円筒形、多角形などの種々の形状を適用することができる。
【００１５】
【実施例】
以下、本発明の投入式固形芳香洗浄剤の作用について説明する。表１は製剤の配合成分及び配合率を示すもので、従来の一層構造の製剤並びに本発明の２層構造の着色層の製剤及び非着色層の製剤を示している。
【００１６】
【表１】
0003877359.tif 000002
【００１７】
そして、一層構造の製剤をそれぞれ４５ｇと９０ｇ作成し、また着色層と非着色層とをそれぞれ１：１で割合で結合させて２層構造とした製剤をそれぞれ４５ｇと９０ｇ作成し、フラッシング装置（１時間インターバル、３リットル）にかけ、持続時間、溶解状態、形状変化及び吸光度変化について観察した。
なお、２層構造の製剤は、本発明の構成を採用する着色層を固着面としたものと、比較品として非着色層を固着面としたものを用意した。また、本発明の製剤は、着色層は脱気されており、１ｃｍ3当たり１．２４ｇとし、非着色層を非脱気で、１ｃｍ3当たり１．０６ｇとした。
【００１８】
吸光度の測定は、Ｕー１０００型分光光度計（日立製作所製）を用いて６２９ｎｍの値を測定した。
【００１９】
図２及び図３は経過日数と吸光度との関係を示しており、図２は、製剤４５ｇの特性図であり、図３は製剤９０ｇの特性図である。
図２の曲線（１）が従来の一層構造の投入式固形芳香洗浄剤の特性を表している。この曲線（１）において、吸光度は最初０．２５程度であり、緩やかに低下してゆき、２７日から２８日経過すると０になった。
【００２０】
曲線（３）は、２層構造で且つ上層が着色層で下層が非着色層の特性図であり、吸光度は、最初０．４程度であり、経過日数と共に急激に低下し、２２日経過でほぼ０になった。
曲線（２）は、本発明の製剤の特性図であり、２層構造で且つ上層が非着色層で下層が着色層である。この曲線（２）において、吸光度は最初０．１７程度であったが、日数の経過と共にほとんど吸光度の変化はなく２０日経過まで吸光度０．１５程度を維持している。２０日を経過した時点から吸光度は０．１５から低下してきたが、それでも曲線（１）、（３）よりも吸光度は高い。２７日から２８日経過で吸光度は０になった。すなわち、本発明の製剤が長い日数に亘って最も安定的に吸光度を維持でき、一定の色を出すことができることが示される。
【００２１】
図３は、製剤９０ｇの特性を示しており、曲線（１）は、従来の一層構造の製剤の特性を表し、吸光度は最初０．３程度であり、日数の経過と共に緩やかに低下し、３５日経過でほぼ０に近くなっている。上述の図２の日数に比べおよそ７日から８日持続期間が延びた。
曲線（３）は、２層構造で且つ上層が着色層で下層が非着色層であるため、最初の吸光度は０．６程度であったが、日数の経過と共に急激に低下し、２７日から２８日ころにほぼ０に近くなった。
【００２２】
曲線（２）は、本発明の製剤の特性図であり、最初の吸光度は０．２程度であり、日数が経過しても吸光度の変化は２５日経過までなく、２６日経過後少しずつ低下し、３４日経過でほぼ０になった。上述の図４の日数に比べておよそ７日から８日持続期間が延びた。すなわち、本発明の製剤が長い日数に亘って最も安定的に吸光度を維持でき、一定の色を出すことができた。
【００２３】
以上の図２、図３の結果から分かるように、１層構造の製剤と、２層構造の製剤とを比べた場合、色素の含有量は同一であるので、上部に着色層を配置した場合、投入式固形芳香洗浄剤はタンク内で上部から溶出していくため、初期の色素溶出量が多く、２０日過ぎには色素の溶出量が少なくなる。
一方、下部に着色層を配置した場合には、初期の色素溶出量が適度に抑えられ、時間の経過と共に投入式固形芳香洗浄剤の表面積が小さくなるが、着色層の表面積は略一定に維持されるため、同一色相が長く維持され、色むらが少ない。
【００２４】
また、１層構造の製剤は投入式固形芳香洗浄剤の表面積が徐々に小さくなるため、時間の経過と共に色素溶出量が少なくなるので、後半は前半より薄くなっていく。
なお、持続期間、溶解状態、形状変化については、各構造において顕著な差は見られなかった。
【００２５】
以上の実施例の試験結果から、タンク内で上層が非着色層で下層が着色層の２層構造を採用する本発明の製剤は、長期に亘り色むらを起こさず、安定した着色特性を示すことが確認できた。
上述のように、２層構造を有し、着色層が非着色層よりも比重が大きくなるように比重調整された製剤は、製剤投入時、常に着色層が下面になった状態で貯水槽の底部に固着する。この状態において、初期の色素溶出量が適度に抑えられ、着色層の表面積が略一定に維持され、同一色相長く維持でき、色むらを少なくし、従来に比べ非常に長く安定的に使用することができる。
【００２６】
【発明の効果】
以上述べたように本発明は、投入式固形芳香洗浄剤を着色層と非着色層とから形成し、しかも着色層の比重を非着色層の比重よりも大きくしたことで、貯水槽に投入された場合、常に着色層が下面になった状態で貯水槽の底部に固着する。この結果、溶出する色素を安定化させることができる。
【図面の簡単な説明】
【図１】本発明の実施の形態の投入式固形芳香洗浄剤の縦断面図である。
【図２】芳香洗浄剤４５ｇの吸光度特性図である。
【図３】芳香洗浄剤９０ｇの吸光度特性図である。
【符号の説明】
１０  投入式固形芳香洗浄剤
１１  着色層
１２  非着色層
【図１】
0003877359.tif 000003
【図２】
0003877359.tif 000004
【図３】
0003877359.tif 000005